【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
眼鏡フレームを保持するフレーム保持手段と、前記フレーム保持手段によって保持された眼鏡フレームのリムの形状を測定する測定手段と、を備える眼鏡枠形状測定装置であって、
眼鏡フレームを装用者が装用したときの眼鏡フレームについての前傾方向の第１傾斜角を取得する第１傾斜角取得手段と、
前記フレーム保持手段で保持された眼鏡フレームについての前傾方向の第２傾斜角を取得する第２傾斜角取得手段と、
取得された前記第１傾斜角及び前記第２傾斜角に基づき、前記測定手段で測定された測定データを補正する補正手段と、
を備えることを特徴とする眼鏡枠形状測定装置。
【請求項２】
請求項１の眼鏡枠形状測定装置において、
前記補正手段は、前記第１傾斜角と前記第２傾斜角とのズレ角を求め、求めたズレ角を基に前記測定手段で測定された測定データを装用者が装用したときの眼鏡装用状態を基準にした測定データに補正することを特徴とする眼鏡枠形状測定装置。
【請求項３】
請求項１の眼鏡枠形状測定装置において、
前記第１傾斜角取得手段は、水平に対する傾斜角を検知する傾斜検知ユニットであって、眼鏡フレームのテンプルに取り付けられた傾斜検知ユニットを用いて検知された前傾方向の前記第１傾斜角を取得し、前記第２傾斜角取得手段は眼鏡フレームのテンプルに取り付けられた前記傾斜検知ユニットを用いて検知された前傾方向の前記第２傾斜角を取得することを特徴とする眼鏡枠形状測定装置。
【請求項４】
眼鏡フレームを保持するフレーム保持手段と、前記フレーム保持手段によって保持された眼鏡フレームのリムの形状を測定する眼鏡枠形状測定装置において、
前記フレーム保持手段は、
（ａ）眼鏡フレームの左右リムの前傾角を変更可能に保持するリム保持手段と、前記リム保持手段に保持されるリムの前傾角が所期する状態となるように眼鏡フレームの左右のテンプルを保持するテンプル保持手段と、を備えるか、または、
（ｂ）眼鏡フレームの左右リムの前傾角を変更可能に保持するリム保持手段であって、左右リムの上部の前後位置と左右リムの下部の前後位置を制限すると共に、左右リムの上部と下部の少なくとも一方を他方に対して前後移動させてリムを位置決めし、リムの前傾角が所期する状態となるようにリムを保持するリム保持手段と、
を備えることを特徴とする眼鏡枠形状測定装置。
【請求項５】
請求項４の眼鏡枠形状測定装置において、
前記テンプル保持手段は、前記リム保持手段に保持されるリムの上下位置に対してテンプルの後方の上下位置を相対的に調整する上下調整手段を備えるか、又は前記リム保持手段に保持されるリムの上下位置に対して一定の位置関係でテンプルの後方を保持する手段であることを特徴とする眼鏡枠形状測定装置。
【請求項６】
眼鏡フレームを保持するフレーム保持手段と、前記フレーム保持手段によって保持された眼鏡フレームのリムの形状を測定する測定手段と、を備える眼鏡枠形状測定装置を使用して眼鏡フレームの装用状態におけるリムの形状データを得る眼鏡枠形状取得方法であって、
眼鏡フレームを装用者が装用したときの眼鏡フレームについての前傾方向の第１傾斜角を取得する第１傾斜角取得ステップと、
前記フレーム保持手段で保持された眼鏡フレームについての前傾方向の第２傾斜角を取得する第２傾斜角取得ステップと、
取得された前記第１傾斜角及び前記第２傾斜角に基づき、前記測定手段で測定された測定データを補正する補正ステップと、
を備えることを特徴とする眼鏡枠形状取得方法。
【請求項７】
眼鏡フレームを保持するフレーム保持手段と、前記フレーム保持手段によって保持された眼鏡フレームのリムの形状を測定する測定手段と、を備える眼鏡枠形状測定装置において実行される眼鏡枠形状取得プログラムであって、
前記眼鏡枠形状測定装置のプロセッサによって実行されることで、
眼鏡フレームを装用者が装用したときの眼鏡フレームについての前傾方向の第１傾斜角を取得する第１傾斜角取得ステップと、
前記フレーム保持手段で保持された眼鏡フレームについての前傾方向の第２傾斜角を取得する第２傾斜角取得ステップと、
取得された前記第１傾斜角及び前記第２傾斜角に基づき、前記測定手段で測定された測定データを補正する補正ステップと、
を前記眼鏡枠形状測定装置に実行させることを特徴とする眼鏡枠形状取得プログラム。
【手続補正２】
【補正対象書類名】明細書
【補正対象項目名】０００７
【補正方法】変更
【補正の内容】
【０００７】
（１）  本開示における典型的な実施形態が提供する眼鏡枠形状測定装置は、眼鏡フレームを保持するフレーム保持手段と、前記フレーム保持手段によって保持された眼鏡フレームのリムの形状を測定する測定手段と、を備える眼鏡枠形状測定装置であって、眼鏡フレームを装用者が装用したときの眼鏡フレームについての前傾方向の第１傾斜角を取得する第１傾斜角取得手段と、前記フレーム保持手段で保持された眼鏡フレームについての前傾方向の第２傾斜角を取得する第２傾斜角取得手段と、取得された前記第１傾斜角及び前記第２傾斜角に基づき、前記測定手段で測定された測定データを補正する補正手段と、を備えることを特徴とする。
（２）  本開示における典型的な実施形態が提供する眼鏡枠形状測定装置は、眼鏡フレームを保持するフレーム保持手段と、前記フレーム保持手段によって保持された眼鏡フレームのリムの形状を測定する眼鏡枠形状測定装置において、前記フレーム保持手段は、（ａ）眼鏡フレームの左右リムの前傾角を変更可能に保持するリム保持手段と、前記リム保持手段に保持されるリムの前傾角が所期する状態となるように眼鏡フレームの左右のテンプルを保持するテンプル保持手段と、を備えるか、または、（ｂ）眼鏡フレームの左右リムの前傾角を変更可能に保持するリム保持手段であって、左右リムの上部の前後位置と左右リムの下部の前後位置を制限すると共に、左右リムの上部と下部の少なくとも一方を他方に対して前後移動させてリムを位置決めし、リムの前傾角が所期する状態となるようにリムを保持するリム保持手段と、を備えることを特徴とする。
（３）  本開示における典型的な実施形態が提供する眼鏡枠形状取得方法は、眼鏡フレームを保持するフレーム保持手段と、前記フレーム保持手段によって保持された眼鏡フレームのリムの形状を測定する測定手段と、を備える眼鏡枠形状測定装置を使用して眼鏡フレームの装用状態におけるリムの形状データを得る眼鏡枠形状取得方法であって、眼鏡フレームを装用者が装用したときの眼鏡フレームについての前傾方向の第１傾斜角を取得する第１傾斜角取得ステップと、前記フレーム保持手段で保持された眼鏡フレームについての前傾方向の第２傾斜角を取得する第２傾斜角取得ステップと、取得された前記第１傾斜角及び前記第２傾斜角に基づき、前記測定手段で測定された測定データを補正する補正ステップと、を備えることを特徴とする。
（４）  本開示における典型的な実施形態が提供する眼鏡枠形状取得プログラムは、眼鏡フレームを保持するフレーム保持手段と、前記フレーム保持手段によって保持された眼鏡フレームのリムの形状を測定する測定手段と、を備える眼鏡枠形状測定装置において実行される眼鏡枠形状取得プログラムであって、前記眼鏡枠形状測定装置のプロセッサによって実行されることで、眼鏡フレームを装用者が装用したときの眼鏡フレームについての前傾方向の第１傾斜角を取得する第１傾斜角取得ステップと、前記フレーム保持手段で保持された眼鏡フレームについての前傾方向の第２傾斜角を取得する第２傾斜角取得ステップと、取得された前記第１傾斜角及び前記第２傾斜角に基づき、前記測定手段で測定された測定データを補正する補正ステップと、を前記眼鏡枠形状測定装置に実行させることを特徴とする。